(57)【要約】【課題】排ガスとこの排ガス内に導入される添加剤との効果的な混合を維持し、かつ高いエンジン出力を得ることができる、内燃機関の排ガス案内系用の混合器装置を提供する。【解決手段】内燃機関の排ガス案内系用の混合器装置であって、排ガスによって主流方向Ｓにおいて貫流可能な、流路エレメント１６における流路１４と、流路エレメント１６内において混合作用を変化させるために可動の少なくとも１つの混合器エレメント１２と、を有している。【選択図】図３
2016125498.tif 000002
【特許請求の範囲】
【請求項１】
内燃機関の排ガス案内系用の混合器装置であって、排ガスによって主流方向（Ｓ）において貫流可能な、流路エレメント（１６；１６ａ；１６ｂ；１６ｃ；１６ｄ）における流路（１４；１４ａ；１４ｂ；１４ｃ；１４ｄ）と、前記流路エレメント（１６；１６ａ；１６ｂ；１６ｃ；１６ｄ）内において混合作用を変化させるために可動の少なくとも１つの混合器エレメント（１２；１２ａ；１２ｂ，１２ｂ′；１２ｃ；１２ｄ，１２ｄ′）と、を有している、内燃機関の排ガス案内系用の混合器装置。
【請求項２】
少なくとも１つの混合器エレメント（１２；１２ａ；１２ｂ）が、前記主流方向（Ｓ）に対してほぼ垂直な旋回軸線（Ａ）を中心にして旋回可能である、請求項１記載の混合器装置。
【請求項３】
少なくとも１つの混合器エレメント（１２ｃ）が、ほぼ前記主流方向（Ｓ）に延びる旋回軸線（Ａ）を中心にして旋回可能である、請求項１又は２記載の混合器装置。
【請求項４】
少なくとも１つの混合器エレメント（１２ｄ）が、前記主流方向（Ｓ）に対してほぼ垂直な方向（Ｖ）において移動可能である、請求項１から３までのいずれか１項記載の混合器装置。
【請求項５】
少なくとも１つの混合器エレメント（１２；１２ａ；１２ｂ，１２ｂ′；１２ｃ；１２ｄ，１２ｄ′）が、当該混合器装置の最大の混合作用を有する第１運転状態と、当該混合器装置の最小の混合作用を有する第２運転状態とに移動可能である、請求項１から４までのいずれか１項記載の混合器装置。
【請求項６】
少なくとも１つの混合器エレメント（１２；１２ａ；１２ｂ，１２ｂ′；１２ｄ，１２ｄ′）が、第１運転状態及び第２運転状態において、ほぼ完全に前記流路（１４；１４ａ；１４ｂ；１４ｄ）内に位置決めされている、請求項５記載の混合器装置。
【請求項７】
少なくとも１つの混合器エレメント（１２ｃ）が、第２運転状態において、実質的に前記流路（１４ｃ）内に位置決めされていない、請求項５又は６記載の混合器装置。
【請求項８】
第２運転状態において前記混合器エレメント（１２ｃ）を収容するための混合器エレメント収容室（３４ｃ）が、前記流路（１４ｃ）に隣接して設けられている、請求項７記載の混合器装置。
【請求項９】
少なくとも１つの混合器エレメント（１２；１２ａ；１２ｂ，１２ｂ′；１２ｃ；１２ｄ，１２ｄ′）が、少なくとも１つの流れ変向エレメント（２６；２６ａ；２６ｂ；２６ｃ；２６ｄ）を有しており、該少なくとも１つの流れ変向エレメント（２６；２６ａ；２６ｂ；２６ｃ；２６ｄ）は、少なくとも第１運転状態において主流方向（Ｓ）に対して角度を成して配置された少なくとも１つの流れ変向面（３２；３２ａ）を有している、請求項５から８までのいずれか１項記載の混合器装置。
【請求項１０】
列方向（Ｒ）において互いに連続する流れ変向エレメント（２６；２６ａ；２６ｂ；２６ｃ；２６ｄ）の少なくとも１つの列（２８，３０；２８ａ，３０ａ；２８ｄ，３０ｄ）が、設けられている、請求項９記載の混合器装置。
【請求項１１】
前記旋回軸線（Ａ）はほぼ、前記列方向（Ｒ）に又は該列方向（Ｒ）に対して垂直な方向に延びている、請求項２又は１０記載の混合器装置。
【請求項１２】
主流方向に対してほぼ横方向に並んで配置された、流れ変向エレメント（２６；２６ａ；２６ｂ；２６ｃ；２６ｄ）の少なくとも２つの列（２８，３０；２８ａ，３０ａ；２８ｄ，３０ｄ）が設けられており、
かつ／又は
主流方向（Ｓ）において連続する、流れ変向エレメント（２６；２６ａ；２６ｂ；２６ｃ；２６ｄ）の少なくとも２つの列（２８，３０；２８ａ，３０ａ；２８ｄ，３０ｄ）が設けられている、請求項１０又は１１記載の混合器装置。
【請求項１３】
少なくとも１つの混合器エレメント（１２；１２ａ；１２ｂ；１２ｃ；１２ｄ）に、作動駆動装置（２４；２４ａ）が対応配置されている、請求項１から１２までのいずれか１項記載の混合器装置。
【請求項１４】
請求項１から１３までのいずれか１項記載の少なくとも１つの混合器装置（１０；１０ａ；１０ｂ；１０ｃ；１０ｄ）を有する、内燃機関用の排ガス案内系。
【発明の詳細な説明】
【技術分野】
【０００１】
本発明は、内燃機関の排ガス案内系用の混合器装置に関する。このような排ガス案内系は、一般的に、排ガスによって主流方向において貫流可能な、流路エレメントにおける流路を有している。このような流路は、例えばディーゼル機関のような内燃機関から、触媒装置に、さらに周囲へと通じることができる。
【背景技術】
【０００２】
内燃機関、特にディーゼル機関からの有害物質放出に関する益々厳しくなる要求を満たすことができるようにするために、例えば尿素のような添加剤を、内燃機関の上流側において排ガス流に導入することが公知である。可能な限り大きな効果を得るために、このような添加剤を排ガスと効果的に混合することが必要である。しかしながらこの際に問題なのは、排ガス流内への混合器エレメントの組込みが、このような混合器エレメントによって生ぜしめられる流れ抵抗に基づいて排ガス背圧を高めてしまうということであり、これによって、内燃機関の出力が低下してしまう。
【発明の概要】
【発明が解決しようとする課題】
【０００３】
ゆえに本発明の課題は、排ガスとこの排ガス内に導入された添加剤との基本的に効果的な混合を維持しながら、高いエンジン出力を得ることができる、内燃機関の排ガス案内系用の混合器装置を提供することである。
【課題を解決するための手段】
【０００４】
この課題を解決するために、本発明によれば、内燃機関の排ガス案内系用の混合器装置は、排ガスによって主流方向において貫流可能な、流路エレメントにおける流路と、流路エレメント内において混合作用を変化させるために可動の少なくとも１つの混合器エレメントと、を有している。
【発明の効果】
【０００５】
本発明に係る混合器装置は、混合器装置の混合作用の変化に基づいて、混合作用を得るための混合器装置によって回避不能な部分的な、流路の遮断もしくは堰き止めをも、変化させることができる。特に、内燃機関が最高出力を出すために運転される場合に、混合器装置を、僅かな排ガス背圧しか生ぜしめられず、しかしながらまた比較的僅かな混合作用しか得られないような状態にもたらすことができ、その結果、確かに燃焼排ガス及び添加剤の幾分低下した混合作用時に、極めて高い機関出力を呼び出すことができる。このように高い出力が不要なもしくは要求されない状態において、混合器装置を、均一な混合作用を有する状態にもたらすことができるので、環境に放出される排ガス中における有害物質の割合を効果的に減じることができる。
【０００６】
種々異なった混合作用の状態への混合器装置の位置を、簡単に得ることができるようにするために、本発明の態様では、混合器装置の少なくとも１つの混合器エレメントが、主流方向に対してほぼ垂直な旋回軸線を中心にして旋回可能である。択一的に又は追加的に、少なくとも１つの混合器エレメントが、ほぼ主流方向に延びる旋回軸線を中心にして旋回可能である。
【０００７】
混合作用を混合器エレメントの運動によって変化させることができる別の可能性では、混合器装置の少なくとも１つの混合器エレメントが、主流方向に対してほぼ垂直な方向において移動可能である。
【０００８】
本発明に係る混合器装置の別の態様では、少なくとも１つの混合器エレメントが、混合器装置の最大の混合作用を有する第１運転状態と、混合器装置の最小の混合作用を有する第２運転状態とに移動可能である。これらの異なった運転状態は、同様に、種々異なった堰き止め状態もしくは種々異なった流れ抵抗状態に対応する。第１運転状態、つまり混合器装置の最大の混合作用が得られる状態では、流路における流れに極めて強い渦流が生ぜしめられ、このような渦流は、比較的大きな流れ抵抗及び相応の排ガス背圧に伴って現れる。第２運転状態、つまり最小の混合作用を有する状態では、流れに対する作用は、同様に僅かな流れ抵抗によって相応に小さいので、混合器装置はまた排ガス背圧においても比較的僅かな上昇しか生ぜしめず、ひいては極めて高い機関出力を得ることができる。
【０００９】
本発明に係る混合器装置のコンパクトな構造形式を得ることができるようにするために、少なくとも１つの混合器エレメントは、第１運転状態及び第２運転状態において、ほぼ完全に流路内に位置決めされている。
【００１０】
第２運転状態における流路内の流れに対する混合器装置の最小の作用を得ることができる態様では、少なくとも１つの混合器エレメントが、第２運転状態において、実質的に流路内に位置決めされていない。そのために本発明の別の態様では、第２運転状態において混合器エレメントを収容するための混合器エレメント収容室が、流路に隣接して設けられている。
【００１１】
本発明に係る混合器装置によって、排ガスと、排ガスに導入された添加剤との効果的な混合を、達成することができるようにするために、本発明の別の態様では、少なくとも１つの混合器エレメントが、少なくとも１つの流れ変向エレメントを有しており、該少なくとも１つの流れ変向エレメントは、少なくとも第１運転状態において主流方向に対して角度を成して配置された少なくとも１つの流れ変向面を有している。このような構成において、例えば、列方向において互いに連続する流れ変向エレメントの少なくとも１つの列が、設けられている構成が可能である。
【００１２】
流れ変向エレメントがこのように列方向に配置されている構成では、少なくとも１つの混合器エレメントを種々異なった運転状態の間において運動させるために、旋回軸線はほぼ、列方向に又は該列方向に対して垂直な方向に延びていてよい。
【００１３】
混合器装置の混合作用を高めることができる態様では、主流方向に対してほぼ横方向に並んで配置された、流れ変向エレメントの少なくとも２つの列が設けられており、かつ／又は主流方向において連続する、流れ変向エレメント少なくとも２つの列が設けられている。
【００１４】
本発明に係る混合器装置において、少なくとも１つの混合器エレメントを、種々異なった混合状態を得るために移動させることができるようにするために、本発明の別の態様では、混合器装置の少なくとも１つの混合器エレメントに、作動駆動装置が対応配置されている。
【００１５】
本発明はさらに、本発明のように構成された少なくとも１つの混合器装置を有する、内燃機関用の排ガス案内系に関する。
【００１６】
次に図面を参照しながら、本発明の実施の形態を詳説する。
【図面の簡単な説明】
【００１７】
【図１】内燃機関の排ガス案内系用の混合器装置の１つの実施の形態を、排ガスの主流方向に対して垂直な視線方向で見た図である。
【図２】図１に示した混合器装置を、排ガスの主流方向で見た図である。
【図３】図１に示した混合器装置を示す斜視図である。
【図４】図１に示した混合器装置の混合器エレメントを示す斜視図である。
【図５】混合器エレメントが最小の混合作用を有する状態に位置決めされた場合の、図１に相当する混合器装置を示す図である。
【図６】混合器エレメントが最小の混合作用を有する状態に位置決めされた場合の、図２に相当する混合器装置を示す図である。
【図７】図５に示した混合器装置を示す斜視図である。
【図８】混合器装置の択一的な実施の形態を示す、図１に相当する図である。
【図９】図８に示した混合器装置を、排ガスの主流方向で見た図である。
【図１０】図８に示した混合器装置を示す斜視図である。
【図１１】図８に示した混合器装置の混合器エレメントを示す斜視図である。
【図１２】混合器エレメントが最小の混合作用を有する状態に位置決めされた場合の、図８に相当する混合器装置を示す図である。
【図１３】混合器エレメントが最小の混合作用を有する状態に位置決めされた場合の、図９に相当する混合器装置を示す図である。
【図１４】図１２に示した混合器装置を示す斜視図である。
【図１５】混合器装置の別の択一的な実施の形態を、排ガスの主流方向で見た図である。
【図１６】混合器エレメントが最小の混合作用を有する状態に位置決めされた場合の、図１５に相当する混合器装置を示す図である。
【図１７】排ガス案内系用の混合器装置の別の択一的な実施の形態を示す図である。
【図１８】最小の混合作用を有する状態における、図１７に示した混合器装置を示す図である。
【図１９】排ガス案内系用の混合器装置のさらに別の択一的な実施の形態を示す図である。
【図２０】最小の混合作用を有する状態における、図１９に示した混合器装置を示す図である。
【発明を実施するための形態】
【００１８】
以下において、図１〜図７を参照しながら、排ガス案内系用の混合器装置１０の第１の実施の形態について記載する。図１〜図４には、全体を１２で示した、混合器装置１０の混合器エレメントの第１運転状態が示され、この第１運転状態において混合器装置１０は、流路１４内を主流方向Ｓで流れる排ガス及びこの排ガスに導入された添加剤のために、最大の混合作用を生ぜしめる。このとき流路１４は、管状に形成された流路エレメント１６内に形成されている。図５〜図７には、混合器装置１０の最小の混合作用を有する第２運転状態に位置決めされた混合器エレメント１２を有する、混合器装置１０が示されている。
【００１９】
図１〜図７に示された混合器装置１０の実施の形態では、管状の流路エレメント１６は、一般的に主流方向Ｓにおいて流れる排ガスもしくは添加剤のためにほぼ楕円形の流れ横断面を準備するように構成されている。ここで付言しておくと、例えば真円形の流れ横断面のような他の流れ横断面形状も、本発明の原理を維持しながら実現することが可能である。
【００２０】
混合器エレメント１２は、図示の実施の形態では、例えば金属薄板変形部品として準備された２つの混合器エレメント部分１８，２０を有しており、両混合器エレメント部分１８，２０は、１つの共通の旋回軸２２に堅固に支持されている。この旋回軸２２は例えば、流路エレメント１６に、旋回軸線Ａを中心にして旋回可能もしくは回転可能に支持されており、かつ例えば片側において流路エレメント１６から外に延びていてよい。例えば電動機式の作動駆動装置２４によって、旋回軸２２は旋回軸線Ａを中心にした旋回もしくは回転のために駆動されることができ、これによって混合器エレメント１２もしくは、旋回軸２２に保持された両混合器エレメント部分１８，２０の、図１に示した第１運転状態と図５に示した第２運転状態との間における旋回を、達成することができる。
【００２１】
図１に示した混合器エレメント部分１８から分かるように、両混合器エレメント部分１８，２０のそれぞれには、複数の流れ変向エレメント２６が設けられている。これらの流れ変向エレメント２６は、主流方向Ｓにおいて相前後して続く２つの列２８，３０に配置されており、このとき流れ変向エレメント２６の列２８は、流れ変向エレメント２６の列３０に対して上流側に位置決めされている。そして各列２８，３０には流れ変向エレメント２６が、列方向Ｒにおいて図で見て互いに連続して配置されており、第１運転状態において位置決めされた混合器エレメント１２では、列方向Ｒは主流方向Ｓに対してほぼ直交しており、かつ旋回軸線Ａに対しても直交している。
【００２２】
各流れ変向エレメント２６は、主流方向Ｓに対して角度を成して位置決めされた少なくとも１つの流れ変向面３２を提供している。図１と図５との比較から示されるように、流れ変向エレメント２６のうちの下流側の列Ｒの流れ変向エレメント２６は、主流方向Ｓに対して角度を成したそれぞれ２つの流れ変向面３２を提供する。つまり両流れ変向面３２は、第１運転状態（図１）において有効であり、第１運転状態において上流側に位置決めされた流れ変向エレメント２６の列２８に向けられている、流れ変向面３２と、図５に示した第２運転状態において最小の混合作用をもって有効であり、流れ変向エレメント２６の列２８から離反するように方向付けられて配置された、流れ変向面３２とである。
【００２３】
ここで再度付言すると、混合器エレメント部分２０は相応の形式で構成されていてよい。特に図４に示すように、混合器エレメント部分２０の流れ変向エレメント２６は、そこにおいてもそれぞれ存在する流れ方向において互いに連続して配置されていて、混合器エレメント部分２０の流れ変向エレメント２６が、混合器エレメント部分１８の流れ変向エレメント２６の流れ変向面３２の取付け（Anstellung）に関して逆向きに設置されるようになっており、これによって改善された混合作用を得ることができる。
【００２４】
図１〜図４と図５〜図７との比較から明らかなように、図１〜図４の第１運転状態において混合器エレメント１２は、主流方向Ｓに対してほぼ垂直なその方向付けに基づいて、流路１４の流れ横断面を著しく強く遮断し、特に、流路１４において主流方向Ｓに流れる排ガスのための著しく大きな擦過流面（Anstroemflaeche）を提供する。図５に示した第２運転状態において、混合器エレメント１２は、ほぼ主流方向Ｓにおいて延在するように方向付けられている。それぞれの混合器エレメント部分１８，２０において両列２８，３０の流れ変向面３２が、依然として主流方向Ｓに対して角度を成していることに基づいて、確かに、依然として、排ガスと該排ガス内に導入された添加剤との混合が行われるが、しかしながら図１〜図４に示した位置決めに比べて、混合作用は著しく減じられている。図５〜図７の第２運転状態では混合エレメント１２は、通路１４の流れ横断面の比較的僅かな部分しか占めないように位置決めされているので、著しく僅かな流れ抵抗しか発生せず、流路１４もしくは排ガス案内系における排ガス背圧が、図１〜図４の第１運転状態に比べて明らかに減じられている。
【００２５】
図１〜図７に示した混合器装置１０の構造によって、内燃機関の要求された出力に関連して、要求された比較的低い出力では、混合器装置１０が最大の又は比較的大きな混合作用を生ぜしめ、その結果極めて効果的な混合に基づいて有害物質放出が最小になるように、混合器エレメント１２を位置決めすることが可能になる。また内燃機関のより高い又は最高の出力が要求されると、混合器エレメント１２を、作動駆動装置２４によって、通路１４における自由な流れ横断面に対する妨害が最小で、同様に混合作用も最小である状態にもたらすことができる。これによってまた減じられた排ガス背圧は、内燃機関における最高出力の獲得を可能にする。
【００２６】
混合器装置の択一的な構成形態は、図８〜図１４に示されている。構造もしくは機能に関して上に述べたコンポーネントに相当するコンポーネントは、同じ符号に「ａ」を加えて示されている。図８〜図１１には、混合器装置１０ａが最大の混合作用の状態で示されているのに対して、図１２〜図１４には混合器装置１０ａは最小の混合作用の状態で示されている。
【００２７】
混合器装置１０ａは、プレート状の混合器エレメント１２ａを有しており、この混合器エレメント１２ａには、それぞれ流れ変向面３２ａを備えた２列２８ａ，３０ａの流れ変向エレメント２６ａが形成されている。特に図１１から分かるように、両列２８ａ，３０ａの流れ変向エレメント２６ａの流れ変向面３２ａは、主流方向Ｓに関して互いに逆向きに設置もしくは角度付けされていてよい。主流方向Ｓに及び主流方向Ｓとは逆向きに角度付けされた互いにオーバラップする流れ変向エレメント２６ａを、提供できるようにするために、例えば金属薄板材料から構成された２つのプレート状部分が、互いに接して設置されていてよい。これらのプレート状部分は、旋回軸２２ａに保持されていてよく、この旋回軸２２ａの旋回軸線Ａもしくは回転軸線Ａは、本実施の形態では、列方向Ｒに延びている。さらに本実施の形態では、旋回軸線Ａは、ほぼ流路１４ａの横断面形状を描く楕円の２つの半割軸のうちの長い方の軸線、つまり長軸の方向に位置しており、これに対して、前に記載した実施の形態では、旋回軸線Ａは、ほぼ、２つの半割軸のうちの短い方の軸線、つまり短軸の方向に位置し、すなわち流路エレメント１６の短い寸法の方向に方向付けられている。旋回軸２２ａに連結された作動駆動装置２４ａによって、混合器エレメント１２ａは、図８〜図１１に示した第１運転状態と、図１２〜図１４に示した第２運転状態との間において移動され得る。第１運転状態において、混合器エレメント１２ａによってほぼ覆われる、流路１４ａの流れ横断面の割合は、最大であるので、流れ変向面３２ａによって、最大の混合作用が生ぜしめられる。第２運転状態において混合器エレメント１２ａは、流れ変向エレメント２６ａの流れ変向面３２ａがほぼ主流方向Ｓに対して平行に位置するように、方向付けられているので、流れ変向エレメント２６ａによってほとんど渦流が生ぜしめられず、ひいては最小の混合作用が生ぜしめられる。この状態において、流路１４ａにおける排ガス背圧は最小であり、その結果、内燃機関における最高出力の獲得が可能である。
【００２８】
混合器装置の別の択一的な実施の形態が、図１５及び図１６に示されている。図１５及び図１６では、構造もしくは機能が既に述べたコンポーネントに相当するコンポーネントは、同じ符号に「ｂ」を加えて示されている。
【００２９】
本実施の形態の混合器装置１０ｂは、図１５に示した混合器装置１０ｂの第１運転状態において、ここでも図平面に対してほぼ垂直に位置する主流方向Ｓに対してほぼ垂直に方向付けられた、例えばプレート状の２つの混合器エレメント１２ｂ，１２ｂ′を有している。ここにおいても付言すれば、流れ横断面はここでも楕円形状の輪郭で示されているが、図１５及び図１６に示した構造原理も、他の流れ横断面と組み合わせることができる。
【００３０】
図１５及び図１６に示した実施の形態では、両方の混合器エレメント１２ｂ，１２ｂ′は互いに内外に入れ子式に配置されており、つまり混合器エレメント１２ｂは、混合器エレメント１２ｂ′を取り囲むように配置されている、もしくは配置することができる。図１５に示した、混合器装置１０ｂの第１運転状態において、両混合器エレメント１２ｂ，１２ｂ′は、流路１４ｂの流れ横断面の最大の割合を覆っており、その結果、ここでは単に略示された形状で示された、両混合器エレメント１２ｂ，１２ｂ′の流れ変向エレメント２６ｂによって、最大の混合作用が生ぜしめられる。本実施の形態においても、流れ変向エレメント２６ｂは、複数の列において配置されていてよい。
【００３１】
両混合器エレメント１２ｂ，１２ｂ′のうちの外側の混合器エレメント、つまり混合器エレメント１２ｂは、図示されていない作動駆動装置によって、例えば流路エレメント１６ｂの短い長さの方向に延びる旋回軸線Ａを中心にして旋回可能である。混合器エレメント１２ｂが、図平面に対してほぼ垂直に位置する図１６に示した位置にもたらされると、両混合器エレメント１２ｂ，１２ｂ′によって覆われる、流路１４ｂの流れ横断面は、大幅に小さいので、僅かな混合作用において僅かな排ガス背圧も生ぜしめられ、ひいては高いエンジン出力を得ることができる。
【００３２】
この配置形態では、内側の混合器エレメント１２ｂ′は基本的に位置固定に形成されていてよい。最大の混合作用の状態と最小の混合作用の状態との間におけるさらに繊細な調節を可能にするために、混合器エレメント１２ｂ′も調節可能であってよく、例えば、図４における混合器エレメント１２ｂの状態に相当する状態にもたらされてもよく、これによって、主流方向Ｓに対してほぼ平行に方向付けられた、両混合器エレメント１２ｂ，１２ｂ′の位置決めに基づいて、流路１４ｂの流れ横断面の被覆率は最小になる。本実施の形態の構成では、両混合器エレメント１２ｂ，１２ｂ′のそれぞれに、固有の作動駆動装置が対応配置されていてよい。
【００３３】
混合器装置の別の択一的な実施の形態が、図１７及び図１８に示されている。図１７及び図１８では、構造もしくは機能が既に述べたコンポーネントに相当するコンポーネントは、同じ符号に「ｃ」を加えて示されている。
【００３４】
上において図１〜図１６を参照して記載した実施の形態では、そこに設けられた混合器エレメントは、第１運転状態においても第２運転状態においても、それぞれ完全に流路内に位置決めされていて、単にその有効横断面が種々異なった位置決めによって変化させられるのに対して、図１７及び図１８に示した実施の形態において設けられた混合器エレメント１２ｃは、確かに、図１７に示した第１運転状態では流路１４ｃ内に位置決めされ、これにより、略示された流れ変向エレメント２６ｃによって渦流、ひいては混合に対して作用することができる。しかしながら図１８に示した第２運転状態では、混合器エレメント１２ｃは、実質的にもはや流路１４ｃ内に位置決めされていないので、主流方向Ｓに流れる排ガスは、実質的に妨げられることなく、流路エレメント１６ｃを通って流れることができる。このことを可能にするために、流路１４ｃの側部に接続した混合器エレメント収容室３４ｃが設けられており、この混合器エレメント収容室３４ｃ内に、混合器エレメント１２ｃは、第２運転状態を得るため、つまり混合作用が最小の運転状態を得るために位置決めされ得る。混合器エレメント１２ｃは、例えば図示されていない作動駆動装置によって駆動されて、主流方向Ｓに対してほぼ平行に位置する旋回軸線Ａを中心にして、流路１４ｃから外に混合器エレメント収容室３４ｃ内に旋回させられることができる。混合器エレメント１２ｃが混合器エレメント収容室３４ｃ内に収容されている場合、貫流が混合器エレメント１２ｃによって実質的に損なわれることなしに、流路１４ｃは開放されている。
【００３５】
図１７に示した状態から図１８に示した状態への混合器エレメント１２ｃの移動は、主流方向Ｓに対してほぼ平行な旋回軸線Ａを中心にした旋回の代わりに、例えば直線移動のような移動によって達成することができる。
【００３６】
種々異なった混合作用の状態を得ることができるようにするために、混合器エレメントのこのような移動運動が利用される、混合器装置の別の実施の形態は、図１９及び図２０に示されている。図１９及び図２０では、構造もしくは機能が既に述べたコンポーネントに相当するコンポーネントは、同じ符号に「ｄ」を加えて示されている。
【００３７】
図１９及び図２０に示した、混合器装置１０ｄの実施の形態では、混合器エレメントのうちの１つ、つまり混合器エレメント１２ｄが、可動に配置されており、これに対して他方の混合器エレメント、つまり混合器エレメント１２ｄ′は、流路１４ｄにおいて不動に位置決めされていてよい。混合器エレメント１２ｄ，１２ｄ′はそれぞれ、例えば主流方向Ｓにおいて連続する列２８ｄ，３０ｄにおいて位置決めされた複数の流れ変向エレメント２６ｄを備えて、形成されていてよい。
【００３８】
図１９においては、両混合器エレメント１２ｄ，１２ｄ′は、主流方向Ｓに対して横方向において最小のオーバラップを有しているもしくはオーバラップしないように位置決めされており、これによって両混合器エレメント１２ｄ，１２ｄ′は、流路１４ｄにおける流れ横断面を最大に覆っている。これによって、流路１４ｄ内を流れる排ガスと該排ガスに導入される添加剤との最大の混合作用が保証される。
【００３９】
図１９に示した混合器装置１０ｄの第１運転状態から、図２０に示した混合器装置１０ｄの第２運転状態への移行を実施したい場合には、混合器エレメント１２ｄは、主流方向Ｓに対してほぼ横方向に移動方向Ｖにおいて、例えば直線的に移動させられる。このとき両混合器エレメント１２ｄ，１２ｄ′は互いにより強くオーバラップするので、流路１４ｄにおいて覆われる横断面は減少する。両混合器エレメント１２ｄ，１２ｄ′の最大のオーバラップ時に、流れ横断面の被覆は最小であり、従って混合作用も最小である。この状態において、排ガス案内系における排ガス背圧も最小になるので、内燃機関の最高出力を引き出すことができる。
【００４０】
流路１４ｄにおける混合器エレメント１２ｄの移動は、図１９及び図２０に示されていない、例えば電動機によって形成された直線移動駆動装置によって、生ぜしめることができる。基本的に、この場合においても、可動の混合器エレメント１２ｄのためには、図１７及び図１８を参照して既に述べた実施の形態におけると同様に、流路１４ｄの側部に隣接して、混合器エレメント収容室が設けられているような配置形態が可能であり、この混合器エレメント収容室内に、混合器エレメント１２ｄは進入することができるので、第２運転状態においては、流路１４ｄ内に位置決めされた混合器エレメント１２ｄ′によってしか混合作用は得られない。
【符号の説明】
【００４１】
１０，１０ａ，１０ｂ，１０ｃ，１０ｄ  混合器装置、  １２，１２ａ，１２ｂ，１２ｂ′，１２ｃ，１２ｄ，１２ｄ′  混合器エレメント、  １４，１４ａ，１４ｂ，１４ｃ，１４ｄ  流路、  １６，１６ａ，１６ｂ，１６ｃ，１６ｄ  流路エレメント、  １８，２０  混合器エレメント部分、  ２２，２２ａ  旋回軸、  ２４，２４ａ  作動駆動装置、  ２６，２６ａ，２６ｂ，２６ｃ，２６ｄ  流れ変向エレメント、  ２８，２８ａ，３０，３０ａ，２８ｄ，３０ｄ  列、  ３２，３２ａ  流れ変向面、  ３４ｃ  混合器エレメント収容室、  Ｓ  主流方向、  Ｒ  列方向、  Ａ  旋回軸線、  Ｖ  移動方向
【図１】
2016125498.tif 000003
【図２】
2016125498.tif 000004
【図３】
2016125498.tif 000005
【図４】
2016125498.tif 000006
【図５】
2016125498.tif 000007
【図６】
2016125498.tif 000008
【図７】
2016125498.tif 000009
【図８】
2016125498.tif 000010
【図９】
2016125498.tif 000011
【図１０】
2016125498.tif 000012
【図１１】
2016125498.tif 000013
【図１２】
2016125498.tif 000014
【図１３】
2016125498.tif 000015
【図１４】
2016125498.tif 000016
【図１５】
2016125498.tif 000017
【図１６】
2016125498.tif 000018
【図１７】
2016125498.tif 000019
【図１８】
2016125498.tif 000020
【図１９】
2016125498.tif 000021
【図２０】
2016125498.tif 000022